(57)【要約】【課題】切替弁を冷凍室から冷蔵室に切替えた場合において、冷凍室温度検知から冷蔵室温度検知に温度差を判定するため、圧縮機回転数が一旦最低回転数から始まるため、冷蔵室の冷却時間が長くなり、圧縮機が連続運転を行うという課題を有していた。【解決手段】冷凍室温度検知手段１３と、冷凍室温度設定手段１４と、冷凍室温度差演算手段１５と、回転数補正判定手段２２と、圧縮機回転数決定手段２０と、圧縮機駆動手段２１と、冷蔵室温度検知手段１６と、冷蔵室温度設定手段と１７、冷蔵室温度差演算手段１８と、切替弁駆動手段１９を備え、前記回転数補正判定手段２２は、切替弁を冷凍室から冷蔵室に切替えると圧縮機回転数を維持し、一定時間経過後、回転数を補正させるので、冷凍室の温度をいち早く下げ、運転時間が短縮することができる。【選択図】図１
2006242531.tif 000002
【特許請求の範囲】
【請求項１】
冷凍室温度検知手段と、冷凍室温度設定手段と、冷凍室温度差演算手段と、圧縮機回転数補正判定手段と、圧縮機回転数決定手段と、圧縮機駆動手段と、冷蔵室温度検知手段と、冷蔵室温度設定手段と、冷蔵室温度差演算手段と、切替弁駆動手段を備え、前記回転数補正判定手段は、切替弁を冷凍室から冷蔵室に切替えると圧縮機回転数を維持し、一定時間経過後、回転数を補正するようにした冷蔵庫の制御装置。
【請求項２】
切替弁故障判定手段を備え、前記切替弁故障判定手段は、冷凍室温度差演算手段と冷蔵室温度差演算手段が設定温度以上を一定時間継続した場合、切替弁の異常と判断し、切替弁のイニシャライズを開始し、優先的に切替弁を冷蔵室から冷凍室に切替え、圧縮機回転数補正判定手段により圧縮機回転数を上昇させるようにした請求項１に記載の冷蔵庫の制御装置。
【請求項３】
電源投入後判定手段を備え、前記電源投入後判定手段は、電源投入時、外気温度と冷凍室温度が一定温度以上の場合、圧縮機回転数補正判定手段により、圧縮機回転数を一定時間上昇させ、その後一定時間下降させ、その後一定時間上昇させるようにした請求項１に記載の冷蔵庫の制御装置。
【請求項４】
機械室送風機故障判定手段と、冷凍室送風機駆動手段と、冷凍室送風機回転数決定手段とを備え、機械室送風機故障判定手段により機械室送風機の故障判定を行い、回転数補正判定手段により圧縮機回転数を最低回転数とし、冷凍室送風機回転数決定手段により冷凍室送風機の回転数を設定し冷凍室送風機駆動手段により冷凍室送風機の駆動を行うようにした請求項１に記載の冷蔵庫の制御装置。
【請求項５】
冷凍室霜取り温度検知手段と、冷蔵室霜取り温度検知手段とを備え、冷凍室温度検知手段と冷蔵室温度検知手段が故障している場合、冷凍室霜取り温度検知手段と冷凍室温度設定から冷凍室温度差演算手段を算出し、冷蔵室霜取り温度検知手段と冷蔵室温度設定手段から冷蔵室温度差演算手段を算出し、圧縮機回転数補正手段より圧縮機の回転数を補正し、切替え弁を駆動する請求項１に記載の冷蔵庫の制御装置。
【発明の詳細な説明】
【技術分野】
【０００１】
本発明は、圧縮機の能力制御を行う冷蔵庫の運転装置に関するものである。
【背景技術】
【０００２】
従来、冷蔵庫の圧縮機の回転数を変えることにより、圧縮機の能力制御を行い冷却能力の最適化を行うもの（例えば、特許文献１参照）がある。
【０００３】
図１１は、従来の冷蔵庫の運転装置の断面図を示すものである。図１１において、１は冷蔵庫本体で、区画壁２により上部に冷蔵室３、野菜室４、下部に冷凍室５、製氷室６に区画されている。７は圧縮機であり、８は凝縮機であり、前記冷蔵庫本体１の外壁内側に設けられている。９は冷凍室冷却器、１０は吸入管であり１１は冷蔵室冷却器、冷凍室５と冷蔵室３の冷却切替を行うＤＣステッピングモータ仕様の切替弁１２である。前記圧縮機７、凝縮機８、減圧縮（図示せず）、冷凍冷却器９、冷蔵冷却器１１、吸入管１０、切替弁１２は冷凍室と冷蔵室を直列に冷却を行い一連の冷凍サイクルを行っている。１３は冷凍室５の温度を検知する冷凍室温度検知手段、１４は冷凍室５の温度を設定する冷凍室温度設定手段である。冷凍室温度検知手段１３により検知した庫内温度と冷凍室温度設定手段１４により設定された設定温度との温度差を演算する冷凍室温度差演算手段１５である。１６は冷蔵室３の温度を検知する冷蔵室温度検知手段、１７は冷蔵室３の温度を設定する冷蔵室温度設定手段である。冷蔵室温度検知手段１６により検知した庫内温度と冷蔵室温度設定手段１７により設定された設定温度との温度差を演算する冷蔵室温度差演算手段１８があるい場合は、冷蔵室が冷えており冷凍室のみの冷却を開始させて、切替弁１２を駆動させる切替弁駆動手段１９である。冷凍室温度差演算手段１５より圧縮機７の回転数を指令する圧縮機回転数決定手段２０である。２１は圧縮機回転数決定手段２０により決定された回転数にて圧縮機８を駆動する圧縮機駆動手段により構成されている。
【０００４】
図１２は、従来の冷蔵庫のフローチャートを示すものである。
【０００５】
まず、電源を投入すると、ステップ１００として冷凍室温度の検出を行う冷凍室温度検知手段１３を読み込み、ステップ１０１で冷凍室設定温度の検出を行う冷凍室温度設定手段１４を読み込み、ステップ１０２で冷凍室温度と冷凍室設定温度の温度差である冷凍室温度差演算手段１９を演算する。ステップ１０３で冷凍室温度差演算手段１５で5℃以上の場合は、ステップ１０４で圧縮機回転数決定手段１７により例えば、回転数を３５００ｒ／ｍに設定する。ステップ１０５で冷凍室温度差演算手段１５において５℃以下でかつ、ステップ１０６で冷凍室温度差演算手段１５において３℃以上の場合は、ステップ１０７で圧縮機回転数決定手段２０により例えば、回転数を３０００ｒ／ｍに設定する。ステップ１０８で冷凍室温度差演算手段１９において３℃以下の場合は、ステップ１０９で圧縮機回転数決定手段２０により例えば、回転数を２５００ｒ／ｍに設定する。ステップ１１０で、圧縮機回転数決定手段２０により決定された回転数にて圧縮機８を駆動する圧縮機駆動手段２１である。この作用を繰り返して、通常の冷却運転が行われる。ステップ１１１として冷蔵室温度の検出を行う冷蔵室温度検知手段１６を読み込み、ステップ１１２で冷蔵室設定温度の検出を行う冷蔵室温度設定手段１７を読み込み、ステップ１１３で冷蔵室温度と冷蔵室設定温度の温度差である冷蔵室温度差演算手段１８を演算する。ステップ１１４で冷蔵室温度差演算手段１８の温度差が０℃以下の場合は、冷蔵室が冷却されているためステップ１１５で冷凍室を冷却させる。ステップ１１６で０℃以上の場合、ステップ１１７で冷凍室・冷蔵室を冷却し、切替弁駆動手段により切替弁を制御する。
【０００６】
以上のように構成された冷蔵庫の運転装置について、以下その動作を説明する。まず、冷凍室を冷却する場合、冷凍室温度検知手段１３により検知した冷凍室温度と、冷凍室温度設定手段１４により設定された設定温度との温度差により冷凍室温度差演算手段１５を決定する。冷凍室温度差演算手段１５により圧縮機７の回転数を圧縮機回転数決定手段２０で決定させる。冷凍室・冷蔵室を冷却する場合、冷蔵室温度検知手段１６により検知した冷蔵室温度と、冷蔵室温度設定手段１6により設定された設定温度との温度差により冷蔵室温度差演算手段１８を決定する。冷蔵室温度差演算手段１８により圧縮機７の回転数を圧縮機回転数決定手段２０で決定させる。
【０００７】
この時、温度差が大きい場合は高い回転数で、また温度差が小さい時は低い回転数で動作させるようにして冷却付加に応じた冷却能力で運転できるように制御されている。
【特許文献１】特開昭６２−２３８９６２号公報
【発明の開示】
【発明が解決しようとする課題】
【０００８】
しかしながら、上記従来の構成は、冷凍室温度と設定温度の温度差により回転数を変えているが、切替弁を冷凍室から冷蔵室に切替えた場合において、冷凍室温度検知から冷蔵室温度検知に温度差を判定するため、圧縮機回転数が一旦最低回転数から始まるため、冷蔵室の冷却時間が長くなり、いつまでたっても所定温度まで下がることができずに圧縮機が連続運転を行うという課題を有していた。
【０００９】
本発明は従来の課題を解決するもので、冷凍室から冷蔵室に切替弁動作後において圧縮機回転数を継続し、一定時間経過後冷蔵室の温度判定を行い、継続した回転数を基準に回転数の補正を行うことで、冷凍室の温度をいち早く下げ、運転時間を短縮することができ、最低回転数で連続運転を行うことがなくなるため消費電力の向上を抑えることのできる冷蔵庫の運転装置を目的とする。
【００１０】
また、上記従来の構成は、切替弁が故障した場合、冷蔵室側の切替弁が故障すると、冷蔵室が設定温度以下になるまで冷却するため、冷却時間が長くなり故障していない冷凍室側においても冷却されないことになり、圧縮機が連続運転を行うという課題を有していた。
【００１１】
本発明は従来の課題を解決するもので、一定時間経過しても冷蔵室または冷凍室が設定温度以下にならない場合が、所定時間続くと切替弁の故障と判断し、切替弁のイニシャライズを行い、冷蔵室が故障している場合、冷蔵室の冷却を止め、冷凍室の冷却を優先して圧縮機回転数を上昇させることにより、冷凍室の温度をいち早く下げ、冷蔵室が設定温度以下になるまでの連続運転を行うことがなくなり、故障していない各室の温度を保護することのできる冷蔵庫の運転装置を目的とする。
【００１２】
また、上記従来の構成は、電源投入時外気温度と冷凍室温度が一定温度以上の場合、圧縮機回転数が高速回転となり、機械室にある制御基板が温度上昇し制御基板内部品の信頼性を確保できなくなるという課題を有していた。
【００１３】
本発明は従来の課題を解決するもので、電源投入時において、外気温度と冷凍室温度が一定温度以上の場合、電源投入一定時間高速回転して庫内温度を冷却し、その後一定時間低速回転を行い、機械室にある制御基板内の部品の温度上昇を抑え、その後一定時間高速回転を行うことにより、庫内の冷却を行うことのできる冷蔵庫の運転装置を目的とする。
【００１４】
また、上記従来の構成は、機械室送風機が故障している場合において、機械室の温度が上昇し、圧縮機を高回転さすことにより圧縮機の巻線が温度上昇するという課題を有していた。
【００１５】
本発明は従来の課題を解決するもので、機械室送風機が故障している場合、圧縮機回転数を一定時間低速回転することで機械室の温度上昇と、圧縮機の巻線温度の温度上昇を抑え、さらに冷凍室送風機を高速回転することにより、庫内の冷却を行うことのできる冷蔵庫の運転装置を目的とする。
【００１６】
また、上記従来の構成は、冷蔵室検知手段と冷凍室検知手段が断線、短絡している場合において、圧縮機回転数が停止するかまたは圧縮機回転数が連続運転するという課題を有していた。
【００１７】
本発明は従来の課題を解決するもので、冷蔵室検知手段と冷凍室検知手段が断線、短絡している場合、冷蔵室検知手段の代わりに冷蔵室霜取り検知手段とし、冷凍室温度検知手段の代わりに冷凍室霜取り検知手段とし、圧縮機を最適化された運転をすることができる冷蔵庫の運転装置を目的とする。
【課題を解決するための手段】
【００１８】
上記従来の課題を解決するために、本発明の冷蔵庫の制御装置は、切替弁により冷蔵室から冷凍室に切替ると圧縮機回転数を維持し、回転数補正判定手段により上昇・下降の判断を行うことにより、回転数が一旦下がることなく回転数維持するとしたものである。
これによって、切替弁動作時における圧縮機回転数を最低回転数から切替前の回転数を維持することにより、一定時間経過後冷蔵室の温度判定を行い、継続した回転数を基準に回転数の補正を行うことで、冷凍室の温度をいち早く下げ、運転時間が短縮することができ消費電力の向上を抑えることができる。
【００１９】
また、本発明の冷蔵庫の制御装置は、一定時間経過しても冷凍室温度差演算手段と冷蔵室温度差演算手段により温度差が大きい場合が所定時間継続すると、切替弁の故障と判断し冷蔵室が故障した場合、切替弁のイニシャライズ後、冷蔵室から冷凍室に切替え冷凍室を優先的に冷却するとしたものである。
【００２０】
これによって、切替弁が故障した場合、切替弁のイニシャライズを開始し、冷蔵室が故障した場合、冷凍室の冷却を優先的に行い、圧縮機回転数を最高回転数にすることにより、冷凍室の温度をいち早く下げ、運転時間が短縮することができ、故障していない各室の温度確保ができる。
【００２１】
また、本発明の冷蔵庫の制御装置は、電源投入時において、外気温度検知手段と冷凍室検知手段により一定温度以上を検知した場合、電源投入後測定手段により一定時間圧縮機の高速回転を行い、その後一定時間圧縮機の低速回転を行い、更に一定時間後圧縮機の高速回転を行うことで、機械室の温度上昇を抑えるとしたものである。
【００２２】
これによって、電源投入時において、外気温度が高い場合、機械室にある制御基板内の部品の温度上昇を抑え、庫内の冷却を確保することができる。
【００２３】
また、本発明の冷蔵庫の制御装置は、機械室送風機が故障している場合、回転数補正判定手段により圧縮機回転数を最低回転数として、庫内送風機の回転数を上げることにより圧縮機の巻線の温度上昇を抑えるとしたものである。
【００２４】
これによって、機械室送風機が故障している場合において、圧縮機回転数を最低回転数とし又、庫内送風機の回転数を上げることにより圧縮機の巻線の温度上昇を抑えるということができる。
【００２５】
また、本発明の冷蔵庫の制御装置は、冷凍室温度検知と冷蔵室温度検知が故障している場合、冷凍室霜取り温度検知と冷蔵室霜取り温度検知を使用することで冷凍室温度差検知手段と冷蔵室温度差検知手段により回転数補正判定手段により圧縮機回転数を駆動させるとしたものである。
【００２６】
これによって、冷凍室温度検知手段と冷蔵室温度検知手段が故障している場合において、冷凍室霜取り検知手段と冷蔵室霜取り検知手段により圧縮機回転数を回転数補正判定手段により、最適化された回転数で圧縮機の駆動ができる。
【発明の効果】
【００２７】
本発明の冷蔵庫の制御装置は、冷凍室から冷蔵室に切替弁動作後において圧縮機回転数を継続し、一定時間経過後冷蔵室の温度判定を行い、継続した回転数を補正することで、冷凍室の温度をいち早く下げ、運転時間を短縮することができ、最低回転数で連続運転を行うことがなくなるため消費電力の向上を抑えることができる。
また、本発明の冷蔵庫の制御装置は、一定時間経過しても冷蔵室または冷凍室が設定温度以下にならない場合が、所定回数続くと切替弁の故障と判断し、切替弁のイニシャライズを行い、冷蔵室が故障している場合、冷蔵室の冷却を止め冷凍室の冷却を優先して圧縮機回転数を上昇させることにより、冷凍室の温度をいち早く下げ、冷蔵室が設定温度以下になるまでの連続運転を行うことがなくなり、故障していない各室の温度を保護することができる。
【００２８】
また、本発明の冷蔵庫の制御装置は、電源投入時において、外気温度と冷凍室温度が一定温度以上の場合、電源投入一定時間高速回転して庫内温度を冷却し、その後一定時間低速回転を行い、機械室にある制御基板内の部品の温度上昇を抑え、その後一定時間高速回転を行うことにより、庫内の冷却を行うことができる。
【００２９】
また、本発明の冷蔵庫の制御装置は、電源投入時において、外気温度と冷凍室温度が一定温度以上の場合、電源投入一定時間高速回転して庫内温度を冷却し、その後一定時間低速回転を行い、機械室にある制御基板内の部品の温度上昇を抑え、その後一定時間高速回転を行うことにより、庫内の冷却を行うことができる。
【００３０】
また、本発明の冷蔵庫の制御装置は、機械室送風機が故障している場合、圧縮機回転数を一定時間低速回転することで機械室の温度上昇と、圧縮機の巻線温度の温度上昇を抑え、さらに冷凍室送風機を高速回転することにより、庫内の冷却を行うことができる。
【００３１】
また、本発明の冷蔵庫の制御装置は、冷蔵室検知手段と冷凍室検知手段が断線、短絡している場合、冷蔵室検知手段の代わりに冷蔵室霜取り検知手段とし、冷凍室温度検知手段の代わりに冷凍室霜取り検知手段とし、圧縮機を最適化された運転をすることができる。
【発明を実施するための最良の形態】
【００３２】
請求項１に記載の発明は、冷凍室温度検知手段と、冷凍室温度設定手段と、冷凍室温度差演算手段と、圧縮機回転数補正判定手段と、圧縮機回転数決定手段と、圧縮機駆動手段と、冷蔵室温度検知手段と、冷蔵室温度設定手段と、冷蔵室温度差演算手段と、切替弁駆動手段を備え、前記回転数補正判定手段は、切替弁を冷凍室から冷蔵室に切替えると圧縮機回転数を維持し、一定時間経過後、回転数を補正するようにしたものであり、切替弁を冷凍室から冷蔵室に切替わると回転数補正判定手段により圧縮機回転数を維持し、一定時間経過後冷蔵室の温度判定を行い、継続した回転数を基準に回転数の補正を行うことで、冷凍室の温度をいち早く下げ、運転時間を短縮することができ、最低回転数で連続運転を行うことがなくなるため消費電力の向上を抑えることができるようになる。
【００３３】
請求項２に記載の発明は、請求項１に記載の発明において、切替弁故障判定手段を備え、前記切替弁故障判定手段は、冷凍室温度差演算手段と冷蔵室温度差演算手段が設定温度以上を一定時間継続した場合、切替弁の異常と判断し、切替弁のイニシャライズを開始し、優先的に切替弁を冷蔵室から冷凍室に切替え、圧縮機回転数補正判定手段により圧縮機回転数を上昇させるものであり、冷凍室の温度をいち早く下げ、運転時間が短縮することができ、故障していない各室の温度確保ができる。
【００３４】
請求項３に記載の発明は、請求項１に記載の発明において、電源投入後判定手段を備え、前記電源投入後判定手段は、電源投入時、外気温度と冷凍室温度が一定温度以上の場合、圧縮機回転数補正判定手段により、圧縮機回転数を一定時間上昇させ、その後一定時間下降させ、その後一定時間上昇させるものであり、庫内の冷却を確実に行うことができる。
【００３５】
請求項４に記載の発明は、請求項１に記載の発明において、機械室送風機故障判定手段と、冷凍室送風機駆動手段と、冷凍室送風機回転数決定手段とを備え、機械室送風機故障判定手段により機械室送風機の故障判定を行い、圧縮機回転数補正判定手段により圧縮機回転数を最低回転数とし、冷凍室送風機回転数決定手段により冷凍室送風機の回転数を設定し冷凍室送風機駆動手段により冷凍室送風機の駆動を行うものであり、圧縮機の電動機の巻線の温度上昇を抑えることができる。
【００３６】
請求項５に記載の発明は、請求項１に記載の発明において、冷凍室霜取り温度検知手段と、冷蔵室霜取り温度検知手段とを備え、冷凍室温度検知手段と冷蔵室温度検知手段が故障している場合、冷凍室霜取り温度検知手段と冷凍室温度設定から冷凍室温度差演算手段を算出し、冷蔵室霜取り温度検知手段と冷蔵室温度設定手段から冷蔵室温度差演算手段を算出し、圧縮機回転数補正手段より圧縮機の回転数を補正し、切替弁を駆動するものであり、最適化された回転数で圧縮機の駆動ができるようになる。
【００３７】
（実施の形態1）
図１は、本発明の実施の形態１における冷蔵庫の制御装置の断面図である。図２は、同実施例の冷蔵庫の運転装置のフローチャートである。
【００３８】
図１、図２において、圧縮機回転数補正手段２２は、圧縮機回転数を継続させ、一定時間経過後回転数を上げ、圧縮機回転数決定手段２０により決定された回転数にて、圧縮機７を駆動する圧縮機駆動手段２１からなる。
【００３９】
以上のように構成された冷蔵庫の運転装置について、以下にその動作を図２のフローチャートをもとに説明する。
【００４０】
まず、電源を投入すると、ステップ２００として冷凍室温度の検出を行う冷凍室温度検知手段１３を読み込み、ステップ２０１で冷凍室設定温度の検出を行う冷凍室温度設定手段１４を読み込み、ステップ２０２で冷凍室温度と冷凍室設定温度の温度差である冷凍室温度差演算手段１９を演算する。ステップ２０３で切替弁駆動判定手段により圧縮機回転数を継続し、回転数補正判定手段２２より例えば1時間経過後、ステップ２０４で、設定した回転数を２５００ｒ／ｍの場合３０００ｒ／ｍに、３０００ｒ／ｍの場合３５００ｒ／ｍに、３５００ｒ／ｍの場合４００００ｒ／ｍに、回転数を補正する。ステップ２０５で例えば1時間未満の場合は、圧縮機回転数を継続する。ステップ２０６で冷凍室温度差演算手段１５で５℃以上の場合は、ステップ２０７で圧縮機回転数決定手段１７により例えば、回転数を３５００ｒ／ｍに設定する。ステップ２０８で冷凍室温度差演算手段１５において５℃以下でかつ、ステップ２０９で冷凍室温度差演算手段１５において３℃以上の場合は、ステップ２１０で圧縮機回転数決定手段２０により例えば、回転数を３０００ｒ／ｍに設定する。ステップ２１１で冷凍室温度差演算手段１９において３℃以下の場合は、ステップ２１２で圧縮機回転数決定手段２０により例えば、回転数を２５００ｒ／ｍに設定する。ステップ２１３で圧縮機回転数決定手段２０により決定された回転数にて圧縮機８を駆動する圧縮機駆動手段２１である。この作用を繰り返して、通常の冷却運転が行われる。
【００４１】
ステップ２１４として冷蔵室温度の検出を行う冷蔵室温度検知手段１６を読み込み、ステップ２１５で冷蔵室設定温度の検出を行う冷蔵室温度設定手段１７を読み込み、ステップ２１６で冷蔵室温度と冷蔵室設定温度の温度差である冷蔵室温度差演算手段１８を演算する。ステップ２１７で冷蔵室温度差演算手段１８の温度差が０℃以下の場合は、冷蔵室が冷却されているためステップ２１８で冷凍室を冷却させる。ステップ２１９で０℃以上の場合、ステップ２２０で冷凍室・冷蔵室を冷却し、切替弁駆動手段により切替弁を制御する。
【００４２】
以上のように構成された冷蔵庫の制御装置について、以下その動作、作用を説明する。
【００４３】
まず、圧縮機回転数補正手段２２は切替弁駆動手段１９により切替弁１２を冷凍室から冷蔵室に切替え後、圧縮機回転数を継続させ、一定時間経過後回転数を上げる。圧縮機回転数補正手段２２は、圧縮機回転数決定手段２０により決定された回転数にて、圧縮機７を駆動する圧縮機駆動手段２１からなる。
【００４４】
以上のように、本実施の形態においては切替弁を冷凍室から冷蔵室に切替わると回転数補正判定手段により圧縮機回転数を維持し、一定時間経過後冷蔵室の温度判定を行い、継続した回転数を基準に回転数の上昇、下降を行うことで、冷凍室の温度をいち早く下げ、運転時間を短縮することができ、最低回転数で連続運転を行うことがなくなるため消費電力の向上を抑えることができる。
【００４５】
（実施の形態２）
図３は、本発明の実施の形態２における冷蔵庫の制御装置の断面図である。図４は、同実施例の冷蔵庫の運転装置のフローチャートである。
【００４６】
図３、図４において、圧縮機回転数補正手段２２は、圧縮機回転数を継続させ、一定時間経過後回転数を上げ、圧縮機回転数決定手段２０により決定された回転数にて、圧縮機７を駆動する圧縮機駆動手段２１からなる。
【００４７】
以上のように構成された冷蔵庫の運転装置について、以下にその動作を図４のフローチャートをもとに説明する。
【００４８】
まず、電源を投入すると、ステップ３００として冷凍室温度の検出を行う冷凍室温度検知手段１３を読み込み、ステップ３０１で冷凍室設定温度の検出を行う冷凍室温度設定手段１４を読み込み、ステップ３０２で冷凍室温度と冷凍室設定温度の温度差である冷凍室温度差演算手段１９を演算する。ステップ３０３で冷凍室温度演算手段１５と冷蔵室温度演算手段１８により例えば３０℃以上が２時間継続すると、ステップ３０４にて、圧縮機回転数補正判定手段２２より、設定した回転数を２５００ｒ／ｍの場合３０００ｒ／ｍに、３０００ｒ／ｍの場合３５００ｒ／ｍに、３５００ｒ／ｍの場合４００００ｒ／ｍに、回転数を補正する。ステップ３０５で冷凍室温度差演算手段１５で５℃以上の場合は、ステップ３０６で圧縮機回転数決定手段１７により例えば、回転数を３５００ｒ／ｍに設定する。ステップ３０７で冷凍室温度差演算手段１５において５℃以下でかつ、ステップ３０８で冷凍室温度差演算手段１５において３℃以上の場合は、ステップ３０９で圧縮機回転数決定手段２０により例えば、回転数を３０００ｒ／ｍに設定する。ステップ３１０で冷凍室温度差演算手段１９において３℃以下の場合は、ステップ３１１で圧縮機回転数決定手段２０により例えば、回転数を２５００ｒ／ｍに設定する。ステップ３１２で圧縮機回転数決定手段２０により決定された回転数にて圧縮機８を駆動する圧縮機駆動手段２１である。この作用を繰り返して、通常の冷却運転が行われる。ステップ３１３として切替弁の異常状態を解除させるため、切替弁のイニシャライズを行う。ステップ３１４で冷蔵室が異常と判断されると、ステップ３１５で優先的に冷凍室を冷却させる。ステップ３１６で冷凍室が異常と判断されると、ステップ３１７で優先的に冷凍室・冷蔵室を冷却し、切替弁駆動手段により切替弁を制御する。
【００４９】
以上のように構成された冷蔵庫の制御装置について、以下その動作、作用を説明する。
【００５０】
まず、冷凍室温度差演算手段１５と、冷蔵室温度差演算手段１８から切替弁故障判定手段２３により冷凍室が故障と判断するとイニシャライズを行い、切替弁駆動手段１９にから切替弁１２を冷凍室から冷蔵室に優先的に切替え、圧縮機回転数を上げる。圧縮機回転数補正手段２２は、圧縮機回転数決定手段２０により決定された回転数にて、圧縮機７を駆動する圧縮機駆動手段２１からなる。
【００５１】
以上のように、本実施の形態においては、冷凍室温度差演算手段と冷蔵室温度差演算手段が設定温度以上が一定時間経過の場合、切替弁故障判定手段により切替弁の異常と判断し、冷蔵室が異常と判断すると、切替弁のイニシャライズを開始し、優先的に切替弁を冷蔵室から冷凍室に切替え、圧縮機回転数補正判定手段により圧縮機回転数を上昇させることにより、冷凍室の温度をいち早く下げ、運転時間が短縮することができ、故障していない各室の温度確保ができる。
【００５２】
（実施の形態３）
図５は、本発明の実施の形態３における冷蔵庫の制御装置の断面図である。図６は、同実施例の冷蔵庫の運転装置のフローチャートである。
【００５３】
図５、図６において、外気温度検知手段２４と冷凍室温度検知手段１３により電源投入後測定手段２５は、電源投入後の圧縮機回転数を変化させ、圧縮機回転数決定手段２０により決定された回転数にて、圧縮機７を駆動する圧縮機駆動手段２１からなる。
【００５４】
以上のように構成された冷蔵庫の運転装置について、以下にその動作を図６のフローチャートをもとに説明する。
【００５５】
まず、電源を投入すると、ステップ４００として冷凍室温度の検出を行う冷凍室温度検知手段１３を読み込み、ステップ４０１で冷凍室設定温度の検出を行う冷凍室温度設定手段１４を読み込み、ステップ４０２で冷凍室温度と冷凍室設定温度の温度差である冷凍室温度差演算手段１９を演算する。ステップ４０３で冷凍室温度差演算手段１５で５℃以上の場合は、ステップ４０４で圧縮機回転数決定手段１７により例えば、回転数を３５００ｒ／ｍに設定する。ステップ４０５で冷凍室温度差演算手段１５において５℃以下でかつ、ステップ４０６で冷凍室温度差演算手段１５において３℃以上の場合は、ステップ４０７で圧縮機回転数決定手段２０により例えば、回転数を３０００ｒ／ｍに設定する。ステップ４０８で冷凍室温度差演算手段１９において３℃以下の場合は、ステップ４０９で圧縮機回転数決定手段２０により例えば、回転数を２５００ｒ／ｍに設定する。ステップ４１０で、圧縮機回転数決定手段２０により決定された回転数にて圧縮機８を駆動する圧縮機駆動手段２１である。ステップ４１０で外気温度検知手段と冷凍室温度検知手段が、例えば３５℃以上の場合、ステップ４１１で電源投入時から例えば１０分経過するまで、回転数補正判定手段により回転数を３５００ｒ／ｍに回転数を補正する。ステップ４１２で電源投入時から例えば、１０分以上経過し、１時間未満の場合、ステップ４１３で回転数補正判定手段により回転数を３０００ｒ／ｍに回転数を補正する。ステップ４１４で電源投入時から１時間経過後、回転数補正判定手段により回転数を３５００ｒ／ｍに回転数を補正する。ステップ４１５で、電源導入時の外気温度と、冷凍室温度が３５℃以下の場合、ステップ４１６で圧縮機回転数制御より圧縮機の回転数制御を行う。この作用を繰り返して、通常の冷却運転が行われる。ステップ４１７として冷蔵室温度の検出を行う冷蔵室温度検知手段１６を読み込み、ステップ４１８で冷蔵室設定温度の検出を行う冷蔵室温度設定手段１７を読み込み、ステップ４１９で冷蔵室温度と冷蔵室設定温度の温度差である冷蔵室温度差演算手段１８を演算する。ステップ４２０で冷蔵室温度差演算手段１８の温度差が０℃以下の場合は、冷蔵室が冷却されているため冷凍室を冷却させる。ステップ４２１で０℃以上の場合、ステップ４２２で冷凍室・冷蔵室を冷却し、切替弁駆動手段により切替弁を制御する。
【００５６】
以上のように構成された冷蔵庫の制御装置について、以下その動作、作用を説明する。
【００５７】
まず、電源投入時、外気温度検知手段２４と、冷凍室温度検知手段１３により所定温度以上と判断する電源投入後判定手段２５からなり、電源投入後判定手段２５により、電源投入時、外気温度と冷凍室温度が一定温度以上の場合、回転数補正判定手段により、回転数補正を行う。圧縮機回転数補正手段２２は、圧縮機回転数決定手段２０により決定された回転数にて、圧縮機７を駆動する圧縮機駆動手段２１からなる。
【００５８】
以上のように、本実施の形態においては、電源投入時後判定手段により、外気温度と冷凍室温度が一定温度以上の場合、回転数補正判定手段により、一定時間高速回転して庫内温度を冷却し、その後一定時間低速回転を行い、機械室にある制御基板内の部品の温度上昇を抑え、その後一定時間高速回転を行うことにより、庫内の冷却を行うことができる。
【００５９】
（実施の形態４）
図７は、本発明の実施の形態４における冷蔵庫の制御装置の断面図である。図８は、同実施例の冷蔵庫の運転装置のフローチャートである。
【００６０】
図７、図８において、機械室送風機２６は故障機械室送風機故障判定手段２７により故障しているかどうか判断を行い、冷凍室送風機２８は、冷凍室送風機回転数決定手段２９により決定された回転数にて駆動する凍室駆動手段３０からなる。機械室送風機故障判定手段２７により圧縮機回転数補正判定手段２２は、圧縮機回転数を変化させ、圧縮機回転数決定手段２０により決定された回転数にて、圧縮機７を駆動する圧縮機駆動手段２１からなる。
【００６１】
以上のように構成された冷蔵庫の運転装置について、以下にその動作を図８のフローチャートをもとに説明する。
【００６２】
まず、電源を投入すると、ステップ５００として冷凍室温度の検出を行う冷凍室温度検知手段１３を読み込み、ステップ５０１で冷凍室設定温度の検出を行う冷凍室温度設定手段１４を読み込み、ステップ５０２で冷凍室温度と冷凍室設定温度の温度差である冷凍室温度差演算手段１９を演算する。ステップ５０３で冷凍室温度差演算手段１５で５℃以上の場合は、ステップ５０４で圧縮機回転数決定手段１７により例えば、回転数を３５００ｒ／ｍに設定する。ステップ５０５で冷凍室温度差演算手段１５において５℃以下でかつ、ステップ５０６で冷凍室温度差演算手段１５において３℃以上の場合は、ステップ５０７で圧縮機回転数決定手段２０により例えば、回転数を３０００ｒ／ｍに設定する。ステップ５０８で冷凍室温度差演算手段１９において３℃以下の場合は、ステップ５０９で圧縮機回転数決定手段２０により例えば、回転数を２５００ｒ／ｍに設定する。機械室送風機故障判定手段２７により、機械室が故障と判断するとステップ５１０で圧縮機回転数補正判定手段２２により圧縮機の回転数を、例えば２５００ｒ／ｍに設定し、ステップ５１１で冷凍室送風機２８の回転数を３５００ｒ／ｍに設定し、ステップ５１２で冷凍室送風機２８の回転数を２５００ｒ／ｍに設定する。ステップ５１３で、圧縮機回転数決定手段２０により決定された回転数にて圧縮機８を駆動する圧縮機駆動手段２１である。ステップ５１４で、冷凍室送風機回転数決定手段２９により決定された回転数にて冷凍室送風機２８を駆動する冷凍室送風機駆動手段３０である。この作用を繰り返して、通常の冷却運転が行われる。ステップ５１５として冷蔵室温度の検出を行う冷蔵室温度検知手段１６を読み込み、ステップ５１６で冷蔵室設定温度の検出を行う冷蔵室温度設定手段１７を読み込み、ステップ５１７で冷蔵室温度と冷蔵室設定温度の温度差である冷蔵室温度差演算手段１８を演算する。ステップ５１８で冷蔵室温度差演算手段１８の温度差が０℃以下の場合は、冷蔵室が冷却されているためステップ５１９で冷凍室を冷却させる。ステップ５２０で０℃以上の場合、ステップ５２１で冷凍室・冷蔵室を冷却し、切替弁駆動手段により切替弁を制御する。
【００６３】
以上のように構成された冷蔵庫の制御装置について、以下その動作、作用を説明する。
【００６４】
まず、機械室が故障しているか判断する機械室送風機故障判定手段２７と、冷凍室送風機２８は、冷凍室送風機決定手段２９により冷凍室送風機の回転数を上げ、冷凍室送風機を駆動する冷凍室送風機駆動手段３０からなる。
【００６５】
以上のように、本実施の形態においては、機械室故障判定手段で、機械室が故障している場合は、回転数補正判定手段により圧縮機回転数を最低回転数とし又、冷凍室送風機決定手段により冷凍室送風機の回転数を上げることにより、圧縮機の巻線の温度上昇を抑えるということができる。
【００６６】
（実施の形態５）
図９は、本発明の実施の形態５における冷蔵庫の制御装置の断面図である。図１０は、同実施例の冷蔵庫の運転装置のフローチャートである。
【００６７】
図９、図１０において、冷凍室霜取り温度検知手段３１と冷蔵室霜取り温度検知手段３２により冷凍室温度差演算手段１５と冷蔵室温度差演算手段１８を算出し、決定された回転数にて駆動する凍室駆動手段３０からなる。機械室送風機故障判定手段２７により回転数補正判定手段２２は、圧縮機回転数を変化させ、圧縮機回転数決定手段２０により決定された回転数にて、圧縮機７を駆動する圧縮機駆動手段２１からなる。
【００６８】
以上のように構成された冷蔵庫の運転装置について、以下にその動作を図１０のフローチャートをもとに説明する。
【００６９】
まず、電源を投入すると、ステップ６００として冷凍室温度の検出を行う冷凍室温度検知手段１３を読み込み、ステップ６０１で冷凍室設定温度の検出を行う冷凍室温度設定手段１４を読み込み、ステップ６０２で冷凍室霜取り温度の検出を行う冷凍室霜取り温度検知手段を読込、冷凍室温度が異常がある場合ステップ６０３で冷凍室霜取り温度と冷凍室設定温度の温度差である冷凍室温度差演算手段１９を演算する。ステップ６０４で冷凍室温度差演算手段１５で３℃以上の場合は、ステップ６０５で圧縮機回転数決定手段１７により例えば、回転数を３５００ｒ／ｍに設定する。ステップ６０６で冷凍室温度差演算手段１５において５℃以下でかつ、ステップ６０７で冷凍室温度差演算手段１５において２℃以上の場合は、ステップ６０８で圧縮機回転数決定手段２０により例えば、回転数を３０００ｒ／ｍに設定する。ステップ６０９で冷凍室温度差演算手段１９において２℃以下の場合は、ステップ６１０で圧縮機回転数決定手段２０により例えば、回転数を２５００ｒ／ｍに設定する。ステップ６１１で、圧縮機回転数決定手段２０により決定された回転数にて圧縮機８を駆動する圧縮機駆動手段２１である。この作用を繰り返して、通常の冷却運転が行われる。ステップ６１２として冷蔵室温度の検出を行う冷蔵室温度検知手段１６を読み込み、ステップ６１３で冷蔵室設定温度の検出を行う冷蔵室温度設定手段１７を読み込み、ステップ６１４で冷蔵室霜取り温度の検出を行う冷蔵室霜取り温度検知手段３２を読み込み、ステップ６１５で冷蔵室霜取り温度と冷蔵室設定温度の温度差である冷蔵室温度差演手段１８を演算し、冷蔵室温度差演算手段１８の温度差が０℃以下の場合は、冷蔵室が冷却されているため冷凍室を冷却させる。ステップ６１６で０℃以上の場合、ステップ６１７で冷凍室・冷蔵室を冷却し、切替弁駆動手段により切替弁を制御する。
【００７０】
以上のように構成された冷蔵庫の制御装置について、以下その動作、作用を説明する。
【００７１】
まず、冷凍室温度検知と冷蔵室温度検知が故障している場合、冷凍室霜取り温度検知手段３１と冷凍室温度設定手段から冷凍室温度差演算手段を算出し、圧縮回転数を補正する。冷蔵室霜取り温度検知手段３２と冷蔵室温度設定手段から冷蔵室温度差演算手段を算出し、切替え弁を駆動する。
【００７２】
以上のように、本実施の形態においては、冷凍室温度検知と冷蔵室温度検知が故障している場合、冷凍室霜取り温度検知手段と冷凍室温度設定手段から冷凍室温度差演算手段を算出し、圧縮回転数を補正する。冷蔵室霜取り温度検知手段と冷蔵室温度設定手段から冷蔵室温度差演算手段を算出し、切替え弁を駆動することにより最適化された回転数で圧縮機の駆動ができるようになる。
【産業上の利用可能性】
【００７３】
以上のように、本発明にかかる冷蔵庫の制御装置は、冷凍室から冷蔵室に切替弁動作後において圧縮機回転数を継続し、一定時間経過後冷蔵室の温度判定を行い、継続した回転数を基準に回転数の上昇、下降を行うことで、冷凍室の温度をいち早く下げ、運転時間を短縮することができ、最低回転数で連続運転を行うことがなくなるため消費電力の向上を抑えることができので、圧縮機の能力制御の冷却機能を利用した制御装置等の用途にも利用できる。
【図面の簡単な説明】
【００７４】
【図１】本発明の実施の形態1における冷蔵庫の制御装置の断面図
【図２】同冷蔵庫のフローチャート
【図３】本発明の実施の形態２における冷蔵庫の制御装置の断面図
【図４】同冷蔵庫のフローチャート
【図５】本発明の実施の形態３における冷蔵庫の制御装置の断面図
【図６】同冷蔵庫のフローチャート
【図７】本発明の実施の形態４における冷蔵庫の制御装置の断面図
【図８】同冷蔵庫のフローチャート
【図９】本発明の実施の形態５における冷蔵庫の制御装置の断面図
【図１０】同冷蔵庫のフローチャート
【図１１】従来例の冷蔵庫の制御装置の断面図
【図１２】同冷蔵庫のフローチャート
【符号の説明】
【００７５】
１    冷蔵庫本体
３    冷蔵室
５    冷凍室
７    圧縮機
１２    切替弁
１３    冷凍室温度検知手段
１４    冷凍室温度設定手段
１５    冷凍室温度差演算手段
１６    冷蔵室温度検知手段
１７    冷蔵室温度設定手段
１８    冷蔵室温度差演算手段
１９    切替弁駆動手段
２０    圧縮機回転数決定手段
２１    圧縮機駆動手段
２２    圧縮機回転数補正判定手段
２３    切替え弁故障判定手段
２４    外気温度検知手段
２５    電源投入後判定手段
２６    機械室送風機
２７    機械室送風機故障判定手段
２８    冷凍室送風機
２９    冷凍室送風機回転数決定手段
３０    冷凍室送風機駆動手段
３１    冷凍室霜取り温度検知手段
３２    冷蔵室霜取り温度検知手段
【図１】
2006242531.tif 000003
【図２】
2006242531.tif 000004
【図３】
2006242531.tif 000005
【図４】
2006242531.tif 000006
【図５】
2006242531.tif 000007
【図６】
2006242531.tif 000008
【図７】
2006242531.tif 000009
【図８】
2006242531.tif 000010
【図９】
2006242531.tif 000011
【図１０】
2006242531.tif 000012
【図１１】
2006242531.tif 000013
【図１２】
2006242531.tif 000014